(57)【要約】【課題】作業効率に優れた昇降式足場２の提供。【解決手段】昇降式足場２は、２本のマスト４、第一デッキ６、第二デッキ８、８個のモーター１０及び８本のバー１２を備えている。マスト４は、ラック２６を備えている。第一デッキ６と第二デッキ８とは、バー１２によって連結されている。それぞれのデッキは、多数のユニット１４と２つのマストカバー１６とを備えている。モーター１０は、マストカバー１６に固定されている。このモーター１０は、ピニオンを備えている。このピニオンは、ラック２６と噛合している。モーター１０が正転すると、ラック−ピニオン機構により、第一デッキ６と第二デッキ８とが一体で上昇する。モーター１０が逆転すると、ラック−ピニオン機構により、第一デッキ６と第二デッキ８とが一体で下降する。【選択図】図１
2010106607.tif 000002
【特許請求の範囲】
【請求項１】
実質的に鉛直方向に延びるマストと、作業者が立ちうる第一デッキと、この第一デッキの上方に位置しておりかつ作業者が立ちうる第二デッキと、駆動部とを備えており、
上記駆動部が、第一デッキ及び第二デッキを、マストに沿って昇降させうる移動式足場。
【請求項２】
上記第一デッキと第二デッキとがバーによって連結された請求項１に記載の足場。
【請求項３】
上記バーが交換可能であり、この交換によって第一デッキと第二デッキとの距離が変更されうる請求項２に記載の足場。
【請求項４】
上記マストが実質的に鉛直方向に延びるラックを備えており、上記駆動部がラックと噛合するピニオンを備えており、このラックとピニオンとが第一デッキと第二デッキとを昇降させる請求項１から３のいずれかに記載の足場。
【請求項５】
上記第二デッキの上方に位置しておりかつ作業者が立ちうる第三デッキをさらに備えており、
上記駆動部が、第一デッキ、第二デッキ及び第三デッキを、マストに沿って昇降させうる請求項１から４のいずれかに記載の足場。
【発明の詳細な説明】
【技術分野】
【０００１】
本発明は、建物のメンテナンス作業等に用いられる移動式足場に関する。
【背景技術】
【０００２】
居住用マンション、商用ビル等の建物の外壁のメンテナンス作業に、仮設足場が用いられている。仮設足場は、多数の金属パイプが組み合わせて構成される。仮設足場は、地面から建物の最上部までを覆う。仮設足場の設置には、多大の労力を要する。仮設足場により日光が遮蔽されるので、建物の内部は暗い。仮設足場により、窓からの眺望が損なわれる。作業完了後、仮設足場は解体される。この解体作業にも、多大の労力を要する。
【０００３】
実開昭５７−１４４９７４号公報には、昇降式足場が開示されている。昇降式足場は、設置及び撤去が容易になされうる。昇降式足場では、日光の遮蔽、眺望の阻害はほとんど生じない。
【特許文献１】実開昭５７−１４４９７４号公報
【発明の開示】
【発明が解決しようとする課題】
【０００４】
建物の全体を覆う仮設足場では、複数のフロアにおいて同時に作業がなされうる。一方、昇降式足場では、作業がなされるフロアは１つのみである。昇降式足場は、作業効率に劣る。
【０００５】
本発明の目的は、作業効率に優れた昇降式足場の提供にある。
【課題を解決するための手段】
【０００６】
本発明に係る昇降式足場は、実質的に鉛直方向に延びるマストと、作業者が立ちうる第一デッキと、この第一デッキの上方に位置しておりかつ作業者が立ちうる第二デッキと、駆動部とを備える。駆動部は、第一デッキ及び第二デッキを、マストに沿って昇降させうる。
【０００７】
好ましくは、第一デッキと第二デッキとは、バーによって連結される。
【０００８】
バーが交換可能であることが好ましい。この交換により、第一デッキと第二デッキとの距離が変更されうる。
【０００９】
好ましくは、マストは、実質的に鉛直方向に延びるラックを備える。駆動部は、ラックと噛合するピニオンを備える。このラックとピニオンとが第一デッキと第二デッキとを昇降させる。
【００１０】
好ましくは、この足場は、第二デッキの上方に位置しておりかつ作業者が立ちうる第三デッキをさらに備える。駆動部は、第一デッキ、第二デッキ及び第三デッキを、マストに沿って昇降させうる。
【発明の効果】
【００１１】
本発明に係る昇降式足場では、第一デッキと第二デッキとの両方において作業がなされうる。この足場は、作業効率に優れる。
【発明を実施するための最良の形態】
【００１２】
以下、適宜図面が参照されつつ、好ましい実施形態に基づいて本発明が詳細に説明される。
【００１３】
図１は、本発明の一実施形態に係る昇降式足場２が示された正面図である。この足場２は、２本のマスト４、第一デッキ６、第二デッキ８、８個のモーター１０（駆動部）及び８本のバー１２を備えている。図１に示されるＸ方向は、水平方向であってデッキが延在する方向である。Ｚ方向は、鉛直方向である。
【００１４】
２本のマスト４は、互いに離間して設置されている。それぞれのマスト４は、図示されない脚により、地面Ｇの上に設置されている。マスト４は、鉛直方向に延びている。第一デッキ６は、水平方向に延在している。第一デッキ６は、多数のユニット１４と２つのマストカバー１６とからなる。第二デッキ８は、水平方向に延在している。第二デッキ８も、多数のユニット１４と２つのマストカバー１６とからなる。第二デッキ８は、第一デッキ６の上方に位置している。
【００１５】
図２は、図１の足場２の一部が壁Ｗと共に示された拡大平面図である。この壁Ｗは、メンテナンス作業の対象である。図２には、マスト４、マストカバー１６及びモーター１０が示されている。図２に示されるＹ方向は、水平方向であって壁Ｗに対して垂直な方向である。
【００１６】
マスト４は、センターポール１８、２本のサイドポール２０、梁２２、アーム２４及びラック２６を備えている。センターポール１８は、金属パイプからなる。このセンターポール１８は、延長方向に延在している（図１も参照）。それぞれのサイドポール２０は、金属パイプからなる。このサイドポール２０は、延長方向に延在している。梁２２の端は、溶接等の手段により、ポールに固定されている。この梁２２により、３本のポール１８、２０が一体化されている。アーム２４の一端は、溶接等の手段により、梁２２に固定されている。アーム２４の他端にはアンカーボルト２８が通されており、このアンカーボルト２８は壁Ｗに打ち込まれている。このアンカーボルト２８により、マスト４が壁Ｗに固定されている。ラック２６は、梁２２に固定されている。このラック２６は、延長方向に延在している（図１も参照）。
【００１７】
マストカバー１６は、フレーム３０、床板３２、４個のガイドローラ３４及びフリーローラ３６を備えている。この実施形態では、床板３２としてパンチングメタルが用いられている。床板３２には、多数の開口３８が形成されている。ガイドローラ３４は、フレーム３０に固定されている。一対のガイドローラ３４が、サイドポール２０を挟持している。この挟持により、マストカバー１６のＹ方向への移動及びＹ方向と逆方向への移動が阻止されている。
【００１８】
モーター１０は、マストカバー１６に固定されている。モーター１０は、ピニオン４０を備えている。モーター１０の駆動により、ピニオン４０が回転する。ピニオン４０は、ラック２６と噛合している。ピニオン４０とフリーローラ３６とにより、ラック２６が挟持されている。この挟持により、マストカバー１６のＸ方向への移動及びＸ方向と逆方向への移動が阻止されている。
【００１９】
図３は、図１の足場２のユニット１４が示された拡大側面図である。このユニット１４は、第一デッキ６に用いられている。このユニット１４は、第二デッキ８にも用いられている。ユニット１４は、桁４２、枕木４４、床板３２、幅木４６及び手すり４８を備えている。桁４２は、いわゆるトラス構造を備えている。枕木４４は桁４２に固定されている。床板３２は、枕木４４の上に敷かれている。図３に示されるように、作業者Ｍは、床板３２の上に立っている。換言すれば、この足場２では、作業者Ｍは、第一デッキ６の上に立ちうる。作業者Ｍはさらに、第二デッキ８の上にも立ちうる。
【００２０】
図４は、図１の足場２の一部が示された拡大側面図である。図４には、第一デッキ６、第二デッキ８及びバー１２が示されている。第一デッキ６は、ボス５０を備えている。このボス５０は、上向きに突出している。第二デッキ８は、ボス５２を備えている。このボス５２は、下向きに突出している。バー１２は、金属パイプからなる。バー１２の下端には、第一デッキ６のボス５０が挿入されている。バー１２は、ボルト５４によってボス５０に固定されている。バー１２の上端には、第二デッキ８のボス５２が挿入されている。バー１２は、ボルト５６によってボス５２に固定されている。バー１２により、第一デッキ６と第二デッキ８とが連結されている。
【００２１】
モーター１０は、他のモーター１０と同期して正転及び逆転する。図示されない操作盤からの信号によりモーター１０が正転すると、ラック−ピニオン機構により、第一デッキ６及び第二デッキ８が上昇する。バー１２で連結されており、且つモーター１０が他のモーター１０と同期して正転するので、第一デッキ６及び第二デッキ８は一体で上昇する。操作盤からの信号によりモーター１０が逆転すると、ラック−ピニオン機構により、第一デッキ６及び第二デッキ８が一体で下降する。
【００２２】
図１において矢印Ｌ１で示されているのは、第一デッキ６と第二デッキ８とのピッチである。このピッチＬ１がフロアピッチＬ２と一致するように、バー１２の長さが設定される。そして、第一デッキ６が建物の２階に相当する位置となるように、第一デッキ６及び第二デッキ８が上昇させられる。このとき、第二デッキ８は、建物の３階に相当する位置となる。第一デッキ６に立つ作業者が壁Ｗの２階部分に対して作業を行い、第二デッキ８に立つ作業者が壁Ｗの３階部分に対して作業を行うことができる。２階部分及び３階部分の両方に対して作業がなされうるので、効率がよい。第一デッキ６及び第二デッキ８がさらに上昇させられると、第一デッキ６に立つ作業者が壁Ｗの３階部分に対して作業を行い、第二デッキ８に立つ作業者が壁Ｗの４階部分に対して作業を行うことができる。第二デッキ８の作業者が前工程を担当し、第一デッキ６の作業者が後工程を担当し、両デッキが段階的に上昇させられることで、極めて効率よく作業がなされうる。
【００２３】
ボルト５４、５６が抜かれることにより、バー１２からボス５０、５２が抜かれうる。そして、長さの異なるバー１２がボス５０、５２に固定されうる。ピッチＬ１がフロアピッチＬ２の２倍と一致するようなバー１２が用いられてもよい。この場合、例えば第一デッキ６に立つ作業者が壁Ｗの２階部分に対して作業を行い、第二デッキ８に立つ作業者が壁Ｗの４階部分に対して作業を行うことができる。ピッチＬ１がフロアピッチＬ２の３倍と一致するようなバー１２が用いられてもよい。この場合、例えば第一デッキ６に立つ作業者が壁Ｗの２階部分に対して作業を行い、第二デッキ８に立つ作業者が壁Ｗの５階部分に対して作業を行うことができる。
【００２４】
図５は、図１の足場２の使用方法が示された模式図である。図５では、補強材５８が張り渡される作業がなされている。第一デッキ６に立つ作業者Ｍは、壁Ｗの２階部分に補強材５８の一端を固定する。第二デッキ８に立つ作業者Ｍは、壁Ｗの３階部分に補強材５８の他端を固定する。この作業により、補強材５８が斜交いに張り渡される。この作業は、効率的である。
【００２５】
足場２が、第三デッキを備えてもよい。第三デッキは、第二デッキ８の上方に位置する。第三デッキは、バー１２によって第二デッキ８と連結される。第一デッキ６、第二デッキ８及び第三デッキは、一体で昇降しうる。例えば、第一デッキ６に立つ作業者が壁Ｗの２階部分で作業を行い、第二デッキ８に立つ作業者が壁Ｗの３階部分で作業を行い、第三デッキに立つ作業者が壁Ｗの４階部分で作業を行うことができる。足場２が、４以上のデッキを備えてもよい。
【００２６】
図１に示された足場２は、２本のマスト４を備えている。マスト４の数は１本でもよく、３本以上でもよい。図１に示された足場２では、第一デッキ６にモーター１０が取り付けられており、第二デッキ８にもモーター１０が取り付けられている。第一デッキ６のみにモーター１０が取り付けられてもよく、第二デッキ８のみにモーター１０が取り付けられてもよい。
【産業上の利用可能性】
【００２７】
本発明に係る昇降式足場は、建物の新築、解体にも用いられうる。この足場は、煙突、橋脚等にも設置されうる。
【図面の簡単な説明】
【００２８】
【図１】図１は、本発明の一実施形態に係る昇降式足場が示された正面図である。
【図２】図２は、図１の足場の一部が壁と共に示された拡大平面図である。
【図３】図３は、図１の足場のユニットが示された拡大側面図である。
【図４】図４は、図１の足場の一部が示された拡大側面図である。
【図５】図５は、図１の足場の使用方法が示された模式図である。
【符号の説明】
【００２９】
２・・・昇降式足場
４・・・マスト
６・・・第一デッキ
８・・・第二デッキ
１０・・・モーター
１２・・・バー
１４・・・ユニット
１６・・・マストカバー
１８・・・センターポール
２０・・・サイドポール
２２・・・梁
２６・・・ラック
３０・・・フレーム
３２・・・床板
３４・・・ガイドローラ
３６・・・フリーローラ
４０・・・ピニオン
４２・・・桁
４８・・・手すり
【図１】
2010106607.tif 000003
【図２】
2010106607.tif 000004
【図３】
2010106607.tif 000005
【図４】
2010106607.tif 000006
【図５】
2010106607.tif 000007